(57)【要約】【課題】ヘアピンの仮保持や開脚などの取り扱いが容易にできる機能を備え、そのうえでヘアピン販売用のケースからの移し替えを不要にするなど、ヘアピンに関する徹底した使い便利の向上を図る。【解決手段】ヘアピンケース１０を収納可能とする上方開放の収納部７が設けられたホルダ本体２と、このホルダ本体２に対して収納部７の上方開放部分まわりで外方向へ張り出されヘアピン８の差し込みが可能とされたフランジ部３とを有し、フランジ部３にはこれに差し込まれたヘアピン８を上下に揺動することによってその片脚を挿入させ開脚可能にする開口部２４が設けられたヘアピンケースホルダ１を開発した。【選択図】図２
2005118449.tif 000002
【特許請求の範囲】
【請求項１】
ヘアピンが格納されたヘアピンケース（１０）を収納可能とする上方開放の収納部（７）が設けられたホルダ本体（２）と、このホルダ本体（２）に対して収納部（７）の上方開放部分まわりで外方向へ張り出されヘアピン（８）の差し込みが可能とされたフランジ部（３）とを有し、
フランジ部（３）には、これに差し込まれたヘアピン（８）を上下に揺動することによってその片脚を挿入させ開脚可能にする開口部（２４）が設けられていることを特徴とするヘアピンケースホルダ。
【請求項２】
ホルダ本体（２）に単一の収納部（７）が設けられ、ホルダ本体（２）、収納部（７）、フランジ部（３）の各平面形状が互いに相似関係とされていることを特徴とする請求項１記載のヘアピンケースホルダ。
【請求項３】
前記ホルダ本体（２）には複数の収納部（７）が設けられていることを特徴とする請求項１記載のヘアピンケースホルダ。
【請求項４】
前記ホルダ本体（２）には、一の収納部（７）の上方開放部分とこれに隣接する収納部（７）の上方開放部分との間に凹状の受け皿（３５）が設けられていることを特徴とする請求項３記載のヘアピンケースホルダ。
【請求項５】
前記ホルダ本体（２）の底部には、このホルダ本体（２）を載置した状態での横ズレや転倒を防止する定置手段（１７）が設けられていることを特徴とする請求項１〜請求項４のいずれかに記載のヘアピンケースホルダ。
【請求項６】
前記定置手段（１７）はホルダ本体（２）に対して縦軸まわり相対回転自在に設けられていることを特徴とする請求項５記載のヘアピンケースホルダ。
【請求項７】
前記定置手段（１７）は、１又は複数の吸盤からなることを特徴とする請求項５又は請求項６記載のヘアピンケースホルダ。
【請求項８】
前記ホルダ本体（２）の収納部（７）は平面視で多角形又は円形に形成されていることを特徴とする請求項１〜請求項７のいずれかに記載のヘアピンケースホルダ。
【請求項９】
前記ホルダ本体（２）の周壁（５）には、収納部（７）内部に連通し且つ外方に開放された抜き窓（１５）が設けられていることを特徴とする請求項１〜請求項８のいずれかに記載のヘアピンケースホルダ。
【請求項１０】
前記フランジ部（３）にはホルダ本体（２）の周壁（５）に沿うように複数の開口部（２４）が設けられており、隣り合う開口部（２４）は互いに独立していることを特徴とする請求項８記載のヘアピンケースホルダ。
【発明の詳細な説明】
【技術分野】
【０００１】
本発明は、ヘアピンケースをそれごと収納することができるヘアピンケースホルダに関するものである。
【背景技術】
【０００２】
従来から、特に女性がヘアスタイルをセットする際にはヘアピンを用いることがあるが、このヘアピンを多数使用する美容院や美容技術学校では、美容師は使い勝手を考えて、ヘアピンを種類やサイズごとに分けた上で既成のケースに収納し、使用時はそのケースから必要な本数をまとめて取り出すといったことを行っていた。
一方、ヘアピンを髪に差し込むには、美容師はヘアピンを一本一本開脚させ、開脚した股間部分に固定したい分量の頭髪を挟み込ませるようにしなければならないが、その際、ヘアピンの脚に指や爪で力を加えることで開脚させたり、口や歯で片脚をくわえつつもう一方の片脚を指で開いたりしていた。しかし、これらのヘアピンを開脚させる操作は、効率が悪い上にヘアピンを口でくわえる場合には不衛生ということもあった。
【０００３】
そこで本出願人は、ヘアピンの仮保持や開脚などの取り扱いが容易にできる機能を備えたヘアピンケースを提案している（特許文献１参照）。このヘアピンケースは、ケース本体内に仕切部で区画された複数の収納部が設けられ、これら各収納部へヘアピンを直接収納させるようにしたものであった。
【特許文献１】特開２００３−２３５６４３号公報
【発明の開示】
【発明が解決しようとする課題】
【０００４】
本出願人が先に提案したヘアピンケースでは、ヘアピンを本数や種別などに応じて区分け収納すると同時に、ヘアピンの取り出しが簡単且つ迅速に行え、しかもヘアピンの仮保持や開脚までも容易化されているために至便であったが、唯一、ヘアピンをケース本体内へ補充する際に、もともとヘアピンが詰められていた販売用のケースからの移し替えが必用になるという点に、やや改良の余地が残っていた。
本発明は、上記事情に鑑みてなされたものであって、ヘアピンの仮保持や開脚などの取り扱いが容易にできる機能を備え、そのうえで販売用のケースからの移し替えを不要にするなど、徹底した使い勝手の向上を図ることができるようにしたヘアピンケースホルダを提供することを目的とする。
【課題を解決するための手段】
【０００５】
前記目的を達成するために、本発明は次の手段を講じた。
即ち、本発明に係るヘアピンケースホルダは、ヘアピンケースを収納可能とする上方開放の収納部が設けられたホルダ本体と、このホルダ本体に対して収納部の上方開放部分まわりで外方向へ張り出されヘアピンの差し込みが可能とされたフランジ部とを有している。そして、フランジ部には、これに差し込まれたヘアピンを上下に揺動することによってその片脚を挿入させ開脚可能にする開口部が設けられている。
このように、ホルダ本体の収納部に対し、ヘアピンケース（本出願人が先に提案したヘアピンケースのことではなく、一般的にヘアピンを販売する際に用いられているケースを指す）をそのまま収納させるようにしているので、ヘアピン自体の移し替えは必用ない。
【０００６】
なお、フランジ部を有しているので、ヘアピンの取り出し時にはヘアピンをかかるフランジ部に仮保持させることができる。また、フランジ部には開口部が設けられているので、仮保持状態のヘアピンを上方（又は下方）に回動することでその片脚を開口部内へ挿入させ、一本一本のヘアピンを大きく開脚させることができるようになっている。
一つのホルダ本体に一つの収納部が設けられたものとすることができる。この場合、ホルダ本体、収納部、フランジ部の各平面形状は、互いに相似関係を有するものとすればよい。これにより、外観性が良好となり、また使用に関して好都合であると共に全体的なコンパクト化が図れる。
【０００７】
ただ、ホルダ本体には複数の収納部が設けられたものとすることもできる。このようにすることで、ヘアピンの収納量を多くしたり、種類やサイズの異なるヘアピンをまとめて収納したりするといったことができる。
このようにホルダ本体に複数の収納部が設けられている場合、ホルダ本体には、一の収納部の上方開放部分とこれに隣接する収納部の上方開放部分との間となる上面部分に凹状の受け皿が設けられているものとすることもできる。この受け皿は、頭髪から引き抜いたヘアピン等を仮置きするといった利用法がある。
【０００８】
ホルダ本体の底部には、このホルダ本体を載置した状態での横ズレや転倒を防止する定置手段を設けておくのが好適である。
なお、一つのホルダ本体に一つの収納部が設けられたものとする場合、定置手段は収納部に対応する位置付けとなるが、ホルダ本体とこの定置手段とを縦軸まわりで相対回転自在に設けておくことで、ホルダ本体を所望に応じて使い勝手のよい方向へ自在に向けられることとなり、便利である。
定置手段は１又は複数の吸盤とすればよい。ただ、定置手段は磁着部材としたりすべり止め材としたりすることもできる。
【０００９】
ヘアピンケースには、その平面形状が正八角形等の多角形を呈したものがあるが、このような場合、ホルダ本体の収納部もこれに対応した平面多角形に形成することで、このヘアピンケースを回り止めした状態で安定して収納することができ好適である。
円形のヘアピンケースに対応するためには、ホルダ本体の収納部も前記ヘアピンケースが嵌合する円形に成形すればよい。
ホルダ本体の周壁に対し、収納部に収納されたヘアピンケースの側面に通じて開放された抜き窓を設けておくのが好適である。このようにすることで周壁の形成材料を節減することができ、低コスト化及び軽量化を図れる。また、多くの場合、ヘアピンケースは透明ケースであるから、このようにすることでヘアピンケース内のヘアピンの残量をホルダ本体の周壁外方から確認することができる。
【００１０】
フランジ部では、ホルダ本体の周壁に沿うような配置で開口部を設けておけばよい。これにより、ヘアピンの差し込み位置（開脚させることのできる位置）を広範囲にわたらせることができる。この場合、隣接する辺相互間では、それらの開口部同士が区画片部を介しつつ各独立した開口であるものとするのが好適である。これにより、フランジ部の強度低下を防止できる。
【発明の効果】
【００１１】
本発明に係るヘアピンケースホルダでは、ヘアピンの仮保持や開脚などの取り扱いが容易にできる機能を備え、そのうえで販売用のケースからの移し替えを不要にするなど、徹底した使い便利の向上を図ることができるようになっている。
【発明を実施するための最良の形態】
【００１２】
以下、本発明の実施の形態を、図面に基づき説明する。
図１〜図６は、本発明に係るヘアピンケースホルダ１の第１実施形態を示している。このヘアピンケースホルダ１は、ホルダー本体２とフランジ部３とを有している。
ホルダ本体２は、平面形状が多角形を呈するように角筒形に形成された周壁５と、この周壁５の下方側を閉塞する底板６とを有したもので、この周壁５と底板６とで囲まれた内部空間が収納部７であり、上方側が外部に開放されるものとなっている。
ホルダ本体２の平面（外郭）形状と収納部７の平面（開口）形状とは互いに相似関係にある。この収納部７には、ヘアピン８の販売に用いられるヘアピンケース１０をそのまま収納することができるようになっている。
【００１３】
なお、本第１実施形態において、収納部７への収納の対象とするヘアピンケース１０は、平面正八角形を呈した容器本体１１に対して蓋１２が着脱自在にされたものを例示している。そのため収納部７もその平面形状が正八角形を呈するものとなっている。
また、この収納部７の内部スペースは、収納したヘアピンケース１０がガタツキを生じない程度の嵌合状態を保持しつつ、ヘアピンケース１０の出し入れは容易に行える程度となることを目安にして形成されている。このようなことから、収納部７へ収納したヘアピンケース１０は回り止めされる。また、この収納部７の深さは、収納したヘアピンケース１０において容器本体１１のうち、蓋１２を着脱できる高さ分が上方へはみ出すようにしてある。すなわち、収納部７へ容器本体１１を収納させたままで蓋１２の着脱ができる。
【００１４】
ホルダ本体２の周壁５には抜き窓１５が形成されている。従って、収納部７に収納されたヘアピンケース１０の側面がホルダ本体２の外方から見えることになり、このときヘアピンケース１０が透明ケースとなっていれば、容器本体１１内のヘアピン１６の残量を確認することができる。またこの抜き窓１５を形成させるに際して周壁５の形成材料を節減できるために、低コスト化及び軽量化が図れる。
図例では周壁５が周囲に八面を有する角筒形であるためにその八面全部にそれぞれ抜き窓１５が設けられ、各抜き窓１５が上部をアーチ形とする長穴形をしたものとしてあるが、抜き窓１５の形成数や開口形状、開口大きさ、場合によってはこの抜き窓１５の有無をも含めて、何ら限定されるものではない。
【００１５】
ホルダ本体２の周壁５は、底板６を超えて下方へ延長される形となっており、この延長部分と底板６とで囲まれた内部空間で、下方が開放された上げ底空間１６が形成されている。この上げ底空間１６内に定置手段１７が設けられている。この定置手段１７は、ホルダ本体２を例えばテーブル等の上に載置したときに、この載置状態から横ズレや転倒するのを防止するためのものである。
本実施形態において定置手段１７は吸盤とされている。この定置手段１７は、吸盤上部に膨出状に設けられたヘソ部１８をホルダ本体２の底板６中央に設けられた取付孔１９へ無理嵌めさせることで吸盤面が下向きとなるように保持されている。すなわち、この定置手段１７は収納部７に対応した位置付けであり、ホルダ本体２との間で、縦軸まわりで相対回転自在になっている。
【００１６】
この定置手段１７の吸盤面は、上げ底空間１６から下方へ突出する位置付けとされており、また吸盤面の外周部にはツマミ片２０が突設されている。このツマミ片２０は、吸盤作用を破壊して（空気を入れて）吸盤を剥がし易くするときに使用する。
なお、定置手段１７の吸盤は１つであってもよいが、図５の２点鎖線に示す如く、複数（３個）であってもよい。こうすることで、ホルダ本体をテーブル上に確実に固定することが可能となる。
上記したフランジ部３は、ホルダ本体２に対し、収納部７の上方開放部分まわりで外方向へ張り出すようにして設けられている。このフランジ部３は、ホルダ本体２に対しその平面形状の全ての辺部からそれぞれ同一張り出し寸法を有して設けられている。すなわち、このフランジ部３はホルダ本体２に対してぞの全周に設けられたものであって、且つこのホルダ本体２の平面形状とフランジ部３の全周形としての平面形状とは互いに相似関係となっている。フランジ部３の下面には補強リブ２３が設けられ、撓み変形などが生じないようにしてある。
【００１７】
このフランジ部３には、ホルダ本体２の周壁５に近接して開口部２４が設けられており、この開口部２４の外周に細長の挟持片部２５が形成されるようになっている。開口部２４及び挟持片部２５は、ホルダ本体２に対し、その平面形状の全ての外周側辺部に対応して設けられている。そして、隣接する辺相互間では、それらに設けられた開口部２４同士が放射状に延びる区画片部２６を介して各独立した開口とされている。
このようなフランジ部３では、各挟持片部２５に対応させてヘアピン８を差し込むことが可能とされている。そして、このように各挟持片部２５に差し込まれたヘアピン８を上方（又は下方）へ揺動したとき、ヘアピン８の片脚が開口部２４に挿入されることになり、このときヘアピン８の両脚が挟持片部２５を跨ぐようにして開脚されることになる。
【００１８】
このヘアピンケースホルダ１は、適宜プラスチック等を材料に、全体が一体のものとして射出成形等されている。なお、一部（例えばフランジ部３や底板６など）を別体に形成しておいて後に組み立てるようにしてもよい。
このような構成を具備したヘアピンケースホルダ１を使用するには、収納部７に対してヘアピンケース１０をスッポリと収納すると共に、このヘアピンケースホルダ１を、整髪やカット、パーマなどを行うに際してヘアピン８の取り出しに好適となる位置へ配されたテーブル、又はワゴンの天板等の上に載せる。このとき、ホルダ本体２の下部に設けられた定置手段１７がテーブル等に対して横ズレや転倒防止作用（定置手段１７が吸盤であれば吸着作用）を生起し、不動状態に保持される。そこで、ヘアピンケース１０の蓋１２を外して、内部のヘアピン８を取り出せばよい。
【００１９】
このとき、ヘアピンケース１０内のヘアピン８が個別にバラバラの状態であるときは、適当な本数を取り出して１本１本、フランジ部３（挟持片部２５）へ差し込むようにすればよいが、ヘアピン８が所定長さのテープに並んで挟持装着されたピン連装製品３０となっている場合には、このピン連装製品３０をヘアピンケース１０から丸ごと取り出して、テープを抜き取り、多数本のヘアピン８を揃えて手に持ったまま、これらをフランジ部３へ一斉に差し挟むようにする。
そのようにしたうえで、必用に応じてヘアピン８を上方（又は下方）に回動させてその片脚を開口部２４内へ挿入させ、一本一本のヘアピン８を大きく開脚させつつ、フランジ部３から取り出すようにする。上記したようにこのヘアピンケースホルダ１は、ホルダ本体２の下部に設けられた定置手段１７でテーブル等に対して横ズレや転倒をしない状態に保持されているので、ヘアピン８を取り出したり開脚させたりする時にも、ヘアピンケースホルダ１が横ズレや転倒することは無く、作業に好適となる。
【００２０】
なお、このフランジ部３は、ホルダ本体２のまわり全周を取り囲むように設けられており、またこのフランジ部３に対して全周的な配置で開口部２４及び挟持片部２５が設けられているので、ヘアピン８の差し込みや開脚、取り出しがどの位置でも行えるようになり、これらの作業が煩わしくなることはない。
しかも、ホルダ本体２は定置手段１７との間で縦軸まわりに相対回転自在となっているので、ヘアピン８の差し込みや開脚、取り出しが進むのに伴ってホルダ本体２を回転させるようにすればよく、常にヘアピン８の差し込みや開脚、取り出しがし易い位置を作業者の正面等に向かせることができる。このことも、作業を円滑に進めるうえで好適となっている。
【００２１】
図７〜図１２は、本発明に係るヘアピンケースホルダ１の第２実施形態を示している。この第２実施形態のヘアピンケースホルダ１は、ホルダ本体２に対して複数の収納部７が設けられたものである。
すなわち、ホルダ本体２は長方形の箱形を呈して形成されたものであって、その上部側にはフランジ部３と面一状の上面板３２が設けられ、この上面板３２に対して複数の（図例では二つ）の収納部７が並んで設けられている。
なお、このホルダ本体２は、長方形箱形の長辺側を形成する一対の周壁５と、これら両側の周壁５の下端同士を連結する底板３３とを有し、長方形箱形の短辺側（幅方向両側）は両端開放とされている。また、周壁５には各収納部７に収納されたヘアピンケース１０の側面に通じて開放された抜き窓１５が設けられている。図例の抜き窓１５は長方形開口を有したものとした。従って、各収納部７に収納されたヘアピンケース１０の側面がホルダ本体２の外方から見えることになり、このときヘアピンケース１０が透明ケースとなっていれば、容器本体１１内のヘアピン８の残量を確認することができる。
【００２２】
この抜き窓１５を形成させるに際して周壁５の形成材料を節減できるために、低コスト化及び軽量化が図れる。これらに関しては、長方形箱形の短辺側は両端開放とされている点でも、同じことが言える。
ホルダ本体２の上面板３２には、両収納部７の相互間に凹状の受け皿３５が設けられている。この受け皿３５の内底部には、磁着部材３６が設けられている。この磁着部材３５は、例えば、シート状磁石を受け皿３５の内底部に両面テープ又は接着剤で貼り付けるようにすればよい。勿論、チップ状の磁石片を埋め込んでもよい。このような受け皿３５には、例えば頭髪から引き抜いたヘアピン８等を仮置きするといった利用法がある。
【００２３】
ホルダ本体２の底部には、上記した底板３３の裏面四隅に定置手段１７が設けられている。この定置手段１７は例えばゴム等によるすべり止め材としてある。また磁石としてもよい。
フランジ部３は、ホルダ本体２に対して、二つの収納部７を取り囲むようなかたちで両収納部７の上方開放部分まわりで外方向へ張り出すようにして設けられている。そして、このフランジ部３の長手方向に沿いつつ、ホルダ本体２の周壁５に近接して開口部２４が、またこの開口部２４の外周側に細長の挟持片部２５が設けられている。
【００２４】
ホルダ本体２の平面形状とフランジ部３の全周形としての平面形状とが互いに相似関係であり、フランジ部３の下面に補強リブ２３が設けられ、開口部２４及び挟持片部２５がホルダ本体２の平面形状の全ての辺部に対応して設けられ且つ隣接する辺相互間で各開口部２４が区画片部２６を介して各独立開口とされている点などは、第１実施形態の場合と略同様である。
このような構成を具備した第２実施形態のヘアピンケースホルダ１では、ホルダ本体２に収納部７が複数あるので、当然に、このホルダ本体２で収納できるヘアピンケース１０も複数とすることができる。そのため、全体としてのヘアピンの収納量を多くしたり、各ヘアピンケース１０に詰められたヘアピン８の種類やサイズを異なるものとしたりすることができる点で、第１実施形態と異なっている。また、受け皿３５に対してヘアピン８等の小物を仮置きすることができるといった点で、第１実施形態と異なっている。
【００２５】
図１３は、本発明に係るヘアピンケースホルダ１の第３実施形態を示している。
本実施形態におけるヘアピンケース１０は有底円筒型であり、ヘアピンケースホルダ１はホルダ本体２に対して前記ヘアピンケース１０が嵌合する略円形の収納部７が設けられたものである。
例えば、この収納部７に、底に行くほどわずかながら径が小さくなるようなテーパを施しておけば、ヘアピンケース１０は略円形の収納部７に確実に嵌合し、滑り回りすることを防げ、ヘアピンケース１０は確実にヘアピンケースホルダ１により保持されるものとなる。
【００２６】
ところで、本発明は、上記した各実施形態に限定されるものではなく、実施の形態に応じて適宜変更可能である。例えば、ホルダ本体２に設ける収納部７の数や配置は何ら限定されるものではない。またホルダ本体２自体の形状も、何ら限定されるものではない。収納部７の開口形状や大きさ等は、ヘアピンケース１０の形状に応じて適宜変更すればよい。更に、このヘアピンケースホルダ１の形成材料も何ら限定されるものではない。
また、ホルダ本体２の上部に設けられたフランジ部３は、ホルダ本体２の全周にわたって形成される必要はなく、ヘアピン８を保持・開脚しやすい一部の位置にのみ設けるようにしても何ら問題はない。
【図面の簡単な説明】
【００２７】
【図１】図２のヘアピンケースホルダにヘアピンケースを収納した状態を示した側断面図である。
【図２】本発明に係るヘアピンケースホルダの第１実施形態を示した斜視図である。
【図３】図２に対応する側面図である。
【図４】図３に対応する平面図である。
【図５】図３に対応する底面図である。
【図６】図２のヘアピンケースホルダにおいてヘアピンの仮保持及び開脚状況を説明した斜視図である。
【図７】本発明に係るヘアピンケースホルダの第２実施形態を示した斜視図である。
【図８】図７に対応する側面図である。
【図９】図８に対応する平面図である。
【図１０】図９のＡ−Ａ線断面図である。
【図１１】図９のＢ−Ｂ線断面図である。
【図１２】図９に対応する底面図である。
【図１３】本発明に係るヘアピンケースホルダの第３実施形態を示した斜視図である。
【符号の説明】
【００２８】
１  ヘアピンケースホルダ
２  ホルダ本体
３  フランジ部
５  周壁
７  収納部
８  ヘアピン
１０  ヘアピンケース
１５  抜き窓
１７  定置手段
２４  開口部
２６  区画片部
３５  受け皿
３６  磁着部材
【図１】
2005118449.tif 000003
【図２】
2005118449.tif 000004
【図３】
2005118449.tif 000005
【図４】
2005118449.tif 000006
【図５】
2005118449.tif 000007
【図６】
2005118449.tif 000008
【図７】
2005118449.tif 000009
【図８】
2005118449.tif 000010
【図９】
2005118449.tif 000011
【図１０】
2005118449.tif 000012
【図１１】
2005118449.tif 000013
【図１２】
2005118449.tif 000014
【図１３】
2005118449.tif 000015